(57)【特許請求の範囲】
【請求項１】
建物の開閉口内でスライド可能な障子の戸先框における室内面に取り付けられる箱形のベース部と、前記ベース部に回転可能に支持されて、前記障子の室内面と平行な面内で回動可能なレバー構造のハンドル部と、前記ベース部のうち前記ハンドル部の回動中心より下方位置に少なくとも一部が収容されて前記障子のスライド方向に直動可能に支持された押圧部とを備えてなり、前記障子が閉鎖位置にあるときに前記ハンドル部を前記ベース部に対して戸尻側に操作すると前記押圧部が戸先側に移動して前記開閉口の内側面を押圧し、前記障子の初動抵抗を軽減することが可能なアシストハンドルにおいて、
前記ベース部は、ベースカバーの内側にインナー構造体を固定してなり、
前記ハンドル部は、上下方向に延びかつ上端部に手掛け部を有し、
前記ハンドル部の下端寄り位置を、前記ベース部のうち室内側を向いた外面に重ねた状態で、前記ベースカバーに形成された第１貫通孔を通して回動支持ピンにより前記インナー構造体に回転可能に支持すると共に、前記ハンドル部のうち回動中心より下側の下端部を、前記ベースカバーに形成された第２貫通孔を通して連動ピンにより前記ベースカバー内の前記押圧部にピン結合することで、前記ハンドル部の回動に連動して前記押圧部を直動可能とし、
前記ハンドル部をハンドルカバーの内側にハンドルプレートを固定してなる構造にして、そのハンドルプレートにおける上下方向の中間部に前記回動支持ピンを配置する一方、下端部に前記連結ピンを配置し、前記第１貫通孔及び前記第２貫通孔が前記ハンドル部の回動位置に拘わらず前記ハンドルカバーによって覆われるように構成されたことを特徴とするアシストハンドル。
【請求項２】
前記ハンドル部と前記押圧部とを可動範囲の一端側の原点位置に付勢するトーションコイルバネを備え、
前記インナー構造体における前記戸先側に、前記インナー構造体を前記戸先框に取り付けるための１対のベース取付孔を上下に並べて設けると共に、それら１対のベース取付孔の間に前記押圧部を配置し、
前記インナー構造体における前記戸尻側に、前記回動支持ピンと前記連結ピンと前記トーションコイルバネのコイル部とを上から順番に並べて、前記トーションコイルバネの一端部を前記連結ピンに係止させたことを特徴とする請求項１に記載のアシストハンドル。
【請求項３】
前記ハンドル部を前記ベース部より上方に延ばして、そのベース部より上側に前記手掛け部を配置し、上下方向から見て前記手掛け部と前記ベース部とが重なるように前記ハンドル部における前記手掛け部を前記戸先框側に突出させて厚くしたことを特徴とする請求項１又は２に記載のアシストハンドル。
【請求項４】
前記ベース部のうち戸尻側に前記ハンドル部が偏在し、非操作時に前記ハンドル部及び前記ベース部における戸尻側の側面が面一になるように構成したことを特徴とする請求項１乃至３の何れか１の請求項に記載のアシストハンドル。
【発明の詳細な説明】
【技術分野】
【０００１】
本発明は、障子の初動抵抗を軽減するために障子の戸先框に取り付けられ、ハンドル部を障子の室内面と平行な面内で回動操作して使用されるアシストハンドルに関する。
【背景技術】
【０００２】
従来、この種のアシストハンドルとして、箱形のベース部の外面に備えたレバー形のハンドル部の下端部からベース部内へと回動軸部材に突入させてベース部内で中継回動部材と一体回転可能に連結し、その中継回動部材をベース部内で直動可能に支持された押圧部にピン結合したものが知られている（例えば、特許文献１参照）。
【先行技術文献】
【特許文献】
【０００３】
【特許文献１】特開２００８−２１５０５２号公報（図２、図４、図５）
【発明の概要】
【発明が解決しようとする課題】
【０００４】
しかしながら、上記した従来のアシストハンドルでは、ベース部が中継回動部材を回動可能に収容しているので、小型化が困難であった。また、ハンドル部の回動軸部材と中継回動部材と一体回転可能に連結する部分に多大な負荷がかかり、そこにガタが発生する事態が生じ得た。
【０００５】
本発明は、上記事情に鑑みてなされたもので、ガタ発生を防止することができかつ小型化が可能なアシストハンドルの提供を目的とする。
【課題を解決するための手段】
【０００６】
上記目的を達成するためになされた請求項１の発明に係るアシストハンドルは、建物の開閉口内でスライド可能な障子の戸先框における室内面に取り付けられる箱形のベース部と、ベース部に回転可能に支持されて、障子の室内面と平行な面内で回動可能なレバー構造のハンドル部と、ベース部のうちハンドル部の回動中心より下方位置に少なくとも一部が収容されて障子のスライド方向に直動可能に支持された押圧部とを備えてなり、障子が閉鎖位置にあるときにハンドル部をベース部に対して戸尻側に操作すると押圧部が戸先側に移動して開閉口の内側面を押圧し、障子の初動抵抗を軽減することが可能なアシストハンドルにおいて、ベース部は、ベースカバーの内側にインナー構造体を固定してなり、ハンドル部は、上下方向に延びかつ上端部に手掛け部を有し、ハンドル部の下端寄り位置を、ベース部のうち室内側を向いた外面に重ねた状態で、ベースカバーに形成された第１貫通孔を通して回動支持ピンによりインナー構造体に回転可能に支持すると共に、ハンドル部のうち回動中心より下側の下端部を、ベースカバーに形成された第２貫通孔を通して連動ピンによりベースカバー内の押圧部にピン結合することで、ハンドル部の回動に連動して押圧部を直動可能とし、ハンドル部をハンドルカバーの内側にハンドルプレートを固定してなる構造にして、そのハンドルプレートにおける上下方向の中間部に回動支持ピンを配置する一方、下端部に連結ピンを配置し、第１貫通孔及び第２貫通孔がハンドル部の回動位置に拘わらずハンドルカバーによって覆われるように構成されたところに特徴を有する。
請求項２の発明は、請求項１に記載のアシストハンドルにおいて、ハンドル部と押圧部とを可動範囲の一端側の原点位置に付勢するトーションコイルバネを備え、インナー構造体における戸先側に、インナー構造体を戸先框に取り付けるための１対のベース取付孔を上下に並べて設けると共に、それら１対のベース取付孔の間に押圧部を配置し、インナー構造体における戸尻側に、回動支持ピンと連結ピンとトーションコイルバネのコイル部とを上から順番に並べて、トーションコイルバネの一端部を連結ピンに係止させたところに特徴を有する。
【０００７】
請求項３の発明は、請求項１又は２に記載のアシストハンドルにおいて、ハンドル部をベース部より上方に延ばして、そのベース部より上側に手掛け部を配置し、上下方向から見て手掛け部とベース部とが重なるようにハンドル部における手掛け部を戸先框側に突出させて厚くしたところに特徴を有する。
【０００８】
請求項４の発明は、請求項１乃至３の何れか１の請求項に記載のアシストハンドルにおいて、ベース部のうち戸尻側にハンドル部が偏在し、非操作時にハンドル部及びベース部における戸尻側の側面が面一になるように構成したところに特徴を有する。
【発明の効果】
【００１０】
［請求項１及び２の発明］
請求項１のアシストハンドルでは、箱形のベース部に外側に配置されたハンドル部の下端部が、そのベース部の貫通孔を介して押圧部にピン結合されているので、ハンドル部の上端部の手掛け部を戸尻側に操作すると、ハンドル部の下端部と共に押圧部が戸先側に移動し、建物の開閉口の内側面を押圧する。このように、本発明のアシストハンドルでは、ベース部の外側に配置されたハンドル部の下端部を押圧部にベース部の貫通孔を介して結合したので、従来、ベース部内に設けていた中継回動部材が不要になり、これにより、ガタの発生が防がれかつ小型化が可能になる。また、本発明のアシストハンドルでは、ベース部及びハンドル部の内側部分を構成するインナー構造体及びハンドルプレートは同じ意匠のものを流用し、ベース部及びハンドル部の外側部分を構成するベースカバー及びハンドルカバーのみの意匠を異ならせて、意匠が異なる複数種類のアシストハンドルを安価に製造することができる。また、請求項２のアシストハンドルでは、インナー構造体における戸先側に１対のベース取付孔を上下に並べて、それら１対のベース取付孔の間に押圧部を配置する一方、インナー構造体における戸尻側に、回動支持ピンと連結ピンとトーションコイルバネのコイル部とを上から順番に並べたことで、それらベース取付孔、回動支持ピン等を箱形のベース部のベースカバー内にコンパクトに纏めることができる。
【００１１】
［請求項３の発明］
請求項３の構成によれば、ハンドル部のうちベース部より上側部分が手掛け部になっているので、ハンドル部を操作する手とベース部との干渉が防がれ、操作性にも優れる。また、上下方向から見て手掛け部とベース部とが重なるようにハンドル部における手掛け部を厚くしたので、アシストハンドル全体の厚さを増大させずに、手掛け部において手を掛ける部分の面積を広くすることができ、指先に係る負担が軽減されて、操作性が向上する。
【００１２】
［請求項４の発明］
請求項４のアシストハンドルでは、ベース部のうち戸尻側にハンドル部が偏在しているので、開閉口の内側面とハンドル部との間に手先を挿入するスペースが確保され、ハンドル部を容易に操作することが可能になる。また、非操作時にハンドル部及びベース部における戸尻側の側面が面一になるので、外観が簡素化されて意匠性が向上すると共に、カーテンを配置した場合に、そのカーテンのアシストハンドルにおける引っ掛かりを防ぐことができる。
【図面の簡単な説明】
【００１４】
【図１】本発明の第１実施形態のアシストハンドルを備えた開閉口の断面図
【図２】アシストハンドルの斜視図
【図３】アシストハンドルの不使用状態の正断面図
【図４】アシストハンドルの使用状態の正断面図
【図５】図３のＣ−Ｃ断面におけるアシストハンドルの断面図
【図６】（Ａ）図３のＡ−Ａ断面におけるアシストハンドルの断面図，（Ｂ）図３のＢ−Ｂ断面におけるアシストハンドルの断面図
【図７】（Ａ）閉鎖位置のガラス戸の平断面図，（Ｂ）開放途中のガラス戸の平断面図
【発明を実施するための形態】
【００１５】
［第１実施形態］
以下、本発明の一実施形態を図１〜図７に基づいて説明する。図１には、建物の窓としての開閉口１０の平断面図が示されている。この開閉口１０のうち室外側の略半分はアルミ及び樹脂にて形成されたガラス戸支持枠１１にて囲まれ、室内側の略半分は木製の和障子支持枠１２にて覆われている。そして、ガラス戸支持枠１１の内側には、１対のガラス戸１３，１３（本発明の「障子」に相当する）が、互いにすれ違うようにスライド可能に支持される一方、和障子支持枠１２の内側には、１対の和障子２９，２９が互いにすれ違うようにスライド可能に支持されている。
【００１６】
各ガラス戸１３は、１対のガラス板１４，１４をガラス枠１５にて囲んで支持した二重ガラス構造をなしている。各ガラス枠１５は、アルミの角筒体を枠状に接合して構成され、ガラス枠１５のうち一方の縦辺部分が本発明に係る戸先框１８となり、他方の縦辺部分が戸尻框１６となっている。そして、両ガラス戸１３，１３の戸尻框１６，１６の間に設けたクレセント錠１７にて施解錠されるようになっている。
【００１７】
各ガラス戸１３の戸先框１８には、ガラス戸１３と開閉口１０の内側面１０Ｈとの間の隙間風を防ぐためのシール部材２５が取り付けられている。具体的には、各ガラス戸１３における戸先框１８のうちガラス戸１３のスライド方向を向いた端面には、上下方向の全体にシール収容溝２１が形成されている。これらに対し、ガラス戸支持枠１１の各内側面１０Ｈからは、各シール収容溝２１内に突入可能な待受突壁２２が上下方向全体に亘って突出形成されている。
【００１８】
シール収容溝２１内にはガイド部品２３とシール突片２４とが設けられている。ガイド部品２３は、シール収容溝２１内における奥面と室内寄りの内側面とを被っている。また、室内側を被った部分がシール収容溝２１の開口面まで膨らんだ形状をなし、室内寄りの内側面を被った部分は、シール収容溝２１の幅方向における中央位置まで膨らんでいる。そして、ガラス戸１３を閉じるとガイド部品２３のテーパ面２３Ａが待受突壁２２に当接し、テーパの作用により、ガラス戸１３が室内側へ移動させられて、シール突片２４が待受突壁２２に密着するように構成されている。
【００１９】
シール収容溝２１の溝内側面からは、シール部材２５に備えた１対のシール突片２４，２４が、待受突壁２２の側面に向かって突出している。これら１対のシール突片２４，２４は、先端に向かって肉薄になったヒレ状をなし、互いに平行になって上下方向に延びている。そして、シール突片２４，２４はガラス戸１３を閉じたときに待受突壁２２に密着する。
【００２０】
ガラス戸１３，１３を閉めた状態では、ガラス戸１３，１３における戸尻框１６，１６同士の間の隙間風もシール部材２７によって防がれるようになっている。具体的には、一方のガラス戸１３の戸尻框１６には、他方のガラス戸１３の戸尻框１６と対向する面のうち戸先框１８から離れた側の縁部に沿ってシール部材２７が設けられている。このシール部材２７は、前記した戸先框１８のシール突片２４と同形状のシール突片２６を１つ備え、他方のガラス戸１３の戸尻框１６における戸先框１８側の縁部に密着する。そして、このシール突片２６も、ガラス戸１３の開操作時に、弓なり形状から逆弓なり形状に反転する。また、この戸尻框１６のシール突片２６は、戸先框１８における１対のシール突片２４，２４が待受突壁２２から離間する前に、他方のガラス戸１３の戸尻框１６から離間する。
【００２１】
さて、上記したシール部材２５，２７とそれらの密着対象部材との間の摩擦により、ガラス戸１３を開く際には、初動時に比較的大きな抵抗がかかる。そこで、ガラス戸１３を開く際の初動抵抗を軽減するために、各ガラス戸１３の戸先框１８における室内面には、それぞれアシストハンドル３０が取り付けられている。このアシストハンドル３０は、戸先框１８に取り付けられたベース部３１に、ハンドル部３５と押圧部３８（図７（Ｂ）参照）とを可動状態に組み付けてなる。
【００２２】
図２の左側部分に示すように、アシストハンドル３０のベース部３１は、縦長の箱状のベースカバー３２の内側に板金製のインナー構造体３３を収容してなる。なお、ベースカバー３２は戸先框１８側が開放し、その開放口からベースカバー３２内にインナー構造体３３が組み付けられている。
【００２３】
ハンドル部３５は、上下方向に延びかつその下端寄り位置をベース部３１に回転可能に支持されて、ガラス戸１３の室内面と平行な面内で回動可能なレバー構造をなしている。また、ハンドル部３５の回動中心は、ベース部３１における上端寄りかつ戸尻寄り位置に配置されている。詳細には、ハンドル部３５は、戸先框１８との対向面に溝開口を有した角溝構造のハンドルカバー３６の内側に、図２の右側に示した縦長で板金製のハンドルプレート３７を収容してなる。ハンドルプレート３７のうち回動中心より上側には、１対の螺子止め孔３７Ａ，３７Ａが貫通形成され、それらに挿通したビス３７Ｖ，３７Ｖがハンドルカバー３６に締め付けられている。なお、図２の右側部分には、アシストハンドル３０が、ハンドルカバー３６及びベースカバー３２を排除した状態で示されている。
【００２４】
ハンドル部３５の回転中心では、回動支持ピン３５Ｐがハンドルプレート３７に固定され、ハンドル部３５の下端部では、連結ピン３７Ｐがハンドルプレート３７に固定されている。また、ハンドルカバー３６のうち戸先框１８側を向いた面には、上下方向の中間位置に段差部が設けられて、その段差部より上側部分が戸先框１８側に厚くなって、本発明に係る手掛け部３５Ｗを構成している。そして、ハンドル部３５のうち段差部より下側部分がベース部３１に戸先框１８と反対側から重ねられている。また、ハンドル部３５は、非操作時には、鉛直方向の真っ直ぐ延びた直立姿勢に保持され、その直立姿勢でハンドル部３５のうち戸尻側の側面とベース部３１における戸尻側の側面とが面一になるように配置されている（図７（Ａ）参照）。なお、図２の左側部分に示すように、ハンドル部３５における戸先側の側面には、先端部を戸先側へと膨出させて滑り止め突部３５Ｚが形成されている。
【００２５】
図２の右側部分に示すように、インナー構造体３３のうち下端部を除いた部分における戸尻側端部には、室内側に隆起した溝形のピン支持台３３Ｗが形成されている。そして、回動支持ピン３５Ｐがベースカバー３２に形成された貫通孔３２Ｋ（図６（Ａ）参照）を通してピン支持台３３Ｗに回転可能に支持されかつ抜け止めされている。
【００２６】
図３に示すように、インナー構造体３３のうち戸先側の端部において上下方向で対称となる位置には、１対のベース取付孔３３Ａ，３３Ａが形成されている。これに対し、ベースカバー３２には、上端部における戸先側の角部と、下端部における戸先側の角部とが、ベースカバー３２の箱形本体部３２Ａに対して離脱可能な蓋部３２Ｂ，３２Ｂ（図２参照）になっている。そして、箱形本体部３２Ａから蓋部３２Ｂ，３２Ｂを離脱した状態でベース取付孔３３Ａ，３３Ａを露出させて、それらベース取付孔３３Ａ，３３Ａに挿通した図示しない螺子にてベース部３１が戸先框１８に固定される。
【００２７】
図２の左側部分に示すように、ベースカバー３２のうち戸先側を向いた側面には、上下方向の中央に矩形孔３２Ｃが形成され、その内部に押圧部３８が直動可能に収容されている。押圧部３８は、全体が断面長方形の略角柱状をなしてガラス戸１３の開閉方向に延びている。また、押圧部３８における戸先側（以下、前端側）の縁部からは戸先框１８側に向かって係止突条３８Ｔ（図６（Ｂ）参照）が形成され、押圧部３８を後方に移動したときに、この係止突条３８Ｔがインナー構造体３３の縁部を覆うようになっている。
【００２８】
図３に示すように、ベースカバー３２には、矩形孔３２Ｃの上下の開口縁からベースカバー３２内の水平方向に押圧ガイド部３２Ｇ，３２Ｇが延びている。また、押圧部３８は、長手方向の中間部で段付き状に幅が変わって前端側が幅広で後端側が幅狭になっている。そして、押圧部３８のうち前側の幅広部分が押圧ガイド部３２Ｇ，３２Ｇに摺接して直動可能にガイドされている。
【００２９】
押圧部３８の後端部には、上下方向に延びた縦長孔３８Ｌが形成されている。また、ベースカバー３２及びピン支持台３３Ｗには、回動支持ピン３５Ｐが通された貫通孔３３Ｋの下方に、縦長孔３８Ｌに対応した横長孔３２Ｌ（本発明の「貫通孔」に相当する）が形成されている。この横長孔３２Ｌは、ハンドル部３５の回動中心を中心といた円弧状をなし、回動支持ピン３５Ｐの下方に位置している。そして、図５に示すように、ハンドル部３５の下端部に備えた連結ピン３７Ｐが、横長孔３２Ｌ及び縦長孔３８Ｌに挿入されている。これにより、図４に示すように、ハンドル部３５の上端部を回動中心より戸尻側に引くと、押圧部３８が戸先側に直動してベース部３１から突出する。
【００３０】
押圧部３８の下方には、ベースカバー３２の内面にバネ支持支柱３２Ｐが形成され、そこにトーションコイルバネ３９が取り付けられている。また、トーションコイルバネ３９の一端部がインナー構造体３３の曲げ部３３Ｚに係止する一方、他端部が連結ピン３７Ｐに係止している。そして、このトーションコイルバネ３９により、ハンドル部３５が鉛直方向に延びた直立姿勢に付勢され、押圧部３８がベース部３１内に没入する方向に付勢されている。
【００３１】
なお、本実施形態ではハンドル部３５及び押圧部３８が、可動範囲の一端側に移動すると、連結ピン３７Ｐがピン支持台３３Ｗの横長孔３２Ｌにおける一端部の第１ストッパ部３３Ｂ１（図６（Ｂ）参照）に当接して位置決めされる一方、ハンドル部３５及び押圧部３８を可動範囲の他端側に移動すると、連結ピン３７Ｐがピン支持台３３Ｗの横長孔３２Ｌにおける他端部の第２ストッパ部３３Ｂ２（図６（Ｂ）参照）に当接して位置決めされる。
【００３２】
本実施形態のアシストハンドル３０の構成に係る説明は以上である。次に、このアシストハンドル３０の作用効果について説明する。ガラス戸１３が閉じた状態でアシストハンドル３０を利用してガラス戸１３を開くには、ハンドル部３５の上端部に手掛け部３５Ｗに指を掛けて戸尻側に操作する。ここで、ハンドル部３５のうち回動中心より下側の下端部は、そのベース部３１の横長孔３２Ｌを介して押圧部３８にピン結合されているので、ハンドル部３５の上端部の手掛け部３５Ｗが戸尻側に操作されると、ハンドル部３５の下端部と共に押圧部３８も戸先側に移動し、開閉口１０の内側面１０Ｈを押圧する（図７（Ｂ）参照）。
【００３３】
このように、本実施形態のアシストハンドル３０では、ベース部３１の外側に配置されたハンドル部３５の下端部を押圧部３８にベース部３１の横長孔３２Ｌを介して結合したので、従来、ベース部内に設けていた中継回動部材が不要になり、これにより、ガタの発生が防がれかつ小型化が可能になる。
【００３４】
しかも、ハンドル部３５のうちベース部３１より上側部分が手掛け部３５Ｗになっているので、ハンドル部３５を操作する手とベース部３１とが干渉し難くなり、操作性にも優れる。また、上下方向から見て手掛け部３５Ｗとベース部３１とが重なるようにハンドル部３５における手掛け部３５Ｗを厚くしたので、アシストハンドル３０全体の厚さを増大させずに、手掛け部３５Ｗにおいて手を掛ける部分の面積を広くすることができ、指先に係る負担が軽減されて、操作性が向上する。
【００３５】
さらには、本実施形態のアシストハンドル３０では、ベース部３１のうち戸尻側にハンドル部３５が偏在しているので、図３に示すように、開閉口１０の内側面１０Ｈとハンドル部３５との間に手先を挿入するスペースが確保され、ハンドル部３５を容易に操作することが可能になる。また、非操作時には、ハンドル部３５における戸尻側の側面とベース部３１における戸尻側の側面とが面一になるので、外観が簡素化されて意匠性が向上すると共にカーテンを配置した場合に、そのカーテンのアシストハンドル３０における引っ掛かりを防ぐことができる。
【００３６】
なお、本実施形態のアシストハンドル３０によれば、ベース部３１及びハンドル部３５の内側部分を構成するインナー構造体３３及びハンドルプレート３７は同じ意匠のものを流用し、ベース部３１及びハンドル部３５の外側部分を構成するベースカバー３２及びハンドルカバー３６のみの意匠を異ならせて、意匠が異なる複数種類のアシストハンドル３０を安価に製造することができる。
［他の実施形態］
本発明は、前記実施形態に限定されるものではなく、上記以外にも要旨を逸脱しない範囲内で種々変更して実施することができる。
【符号の説明】
【００３７】
１０    開閉口
１０Ｈ    内側面
３０    アシストハンドル
３１    ベース部
３２    ベースカバー
３２Ｇ，３２Ｇ    ガイド壁
３２Ｌ    横長孔
３３    インナー構造体
３３Ｂ１    第１ストッパ部
３３Ｂ２    第２ストッパ部
３３Ｗ  ピン支持台
３５    ハンドル部
３５Ｐ  回動支持ピン
３６    ハンドルカバー
３７    ハンドルプレート
３８    押圧部
３９    トーションコイルバネ
【図１】
0005578657.tif 000002
【図２】
0005578657.tif 000003
【図３】
0005578657.tif 000004
【図４】
0005578657.tif 000005
【図５】
0005578657.tif 000006
【図６】
0005578657.tif 000007
【図７】
0005578657.tif 000008